(57)【要約】      （修正有）【課題】車載カップホルダー用のサポートスタンドを提供する。【解決手段】車載カップホルダー用のサポートスタンドは、外壁に複数の貫通孔１１が周設されたベースユニット１と、ベースユニットの内部に対向する螺旋ガイド溝を有し、ベースユニットに回動可能で離脱不可に取り付けられた回転ユニット２と、対応する位置にある貫通孔を介してベースユニット内に取り付けれた複数の拡張ユニット３とを備え、拡張ユニットは、内側から外側へ、移動部材３１と、移動部材に取り付けられた位置調整可能な壁支持部材３２とを順に有し、移動部材は、それぞれガイドブロックを有し、複数のガイドブロックは、いずれも螺旋ガイド溝内に位置されており、回転ユニットが回動すると、各移動部材は対応する貫通孔を介して直線的に移動して外側へ突出する。これにより、サポートスタンドは、サイズが異なる車載カップホルダーに適用可能である。【選択図】図３
0003231268.tif 000002
【実用新案登録請求の範囲】
【請求項１】
外壁に複数の貫通孔があるベースユニットと、
前記ベースユニットの内部に対向する螺旋ガイド溝を有し、前記ベースユニットに回動可能で離脱不可に取り付けられた回転ユニットと、
対応する位置にある前記貫通孔を介して前記ベースユニット内に取り付けられた複数の拡張ユニットと、を備え、
前記拡張ユニットは、内側から外側へ、移動部材と、前記移動部材に取り付けられた位置調整可能な壁支持部材とを順に有し、かつ、長さが調整によって変更可能であり、
前記移動部材は、それぞれガイドブロックを有し、複数の前記ガイドブロックは、いずれも前記螺旋ガイド溝内に位置されており、
前記回転ユニットが回動すると、各前記移動部材は対応する前記貫通孔を介して直線的に移動して外側へ突出することを特徴とする、車載カップホルダー用のサポートスタンド。
【請求項２】
前記移動部材は、少なくとも２組の係止溝を有し、各組の前記係止溝は、前記移動部材の相対する２つの垂直壁に分布され、前記壁支持部材は、Ｕ字型のジャケットを更に有し、前記ジャケットの相対する２つの内壁には、それぞれ突起バーを有し、
前記突起バーが前記係止溝内に插入されると、前記壁支持部材は前記移動部材に固定されることを特徴とする、請求項１に記載の車載カップホルダー用のサポートスタンド。
【請求項３】
前記係止溝内には、少なくとも１つの突起を有し、前記突起バーは、対応する数及び位置の凹状のノッチを有し、
前記突起バーが前記係止溝内に插入されると、前記突起も前記凹状のノッチ内に位置されることを特徴とする、請求項２に記載の車載カップホルダー用のサポートスタンド。
【請求項４】
前記ベースユニット内には、複数のガイド通路を有し、前記ガイド通路は、いずれも対応する前記貫通孔に対応し、
前記回転ユニットが回転すると、前記移動部材は前記ガイド通路内に移動して前記貫通孔から突出することを特徴とする、請求項１に記載の車載カップホルダー用のサポートスタンド。
【請求項５】
前記ベースユニット内には、保持部材が取り付けられ、前記保持部材は、複数のスライド溝を有し、前記移動部材は、それぞれ保持ブロックを更に有し、前記保持ブロックは、前記移動部材の底部から突出し、取り付けの際に前記保持部材の前記スライド溝内に位置されることを特徴とする、請求項１に記載の車載カップホルダー用のサポートスタンド。
【請求項６】
前記ベースユニットは、上向きに開口したソケットを有し、前記回転ユニットの底部には、円形部材を有し、前記螺旋ガイド溝は、前記円形部材の前記ベースユニットに対向する端面に形成され、前記円形部材は、前記ソケット内に回動することを特徴とする、請求項１に記載の車載カップホルダー用のサポートスタンド。
【請求項７】
前記壁支持部材の外壁には、滑り止めマットが設置されていることを特徴とする、請求項１に記載の車載カップホルダー用のサポートスタンド。
【請求項８】
前記ベースユニットの中心には、ねじが取り付けられ、
前記ねじが前記回転ユニットを貫通して前記ベースユニットに締め付けられることで、前記回転ユニットは回動可能で前記ベースユニットから離脱不可であることを特徴とする、請求項１に記載の車載カップホルダー用のサポートスタンド。
【請求項９】
前記ベースユニットは、頂部の外壁にピボット用円壁を有し、前記ピボット用円壁には、複数の縦方向の突起山部を有することを特徴とする、請求項１に記載の車載カップホルダー用のサポートスタンド。
【請求項１０】
回転スタンドを更に備え、
前記回転スタンドは、Ｃ字型の接続クリップを有し、前記接続クリップの内壁には、垂直に分布されたスプライン溝を有し、
前記回転スタンドが前記接続クリップによって前記ピボット用円壁を挟持する際に、前記突起山部は前記スプライン溝内に位置されることを特徴とする、請求項９に記載の車載カップホルダー用のサポートスタンド。
【考案の詳細な説明】
【技術分野】
【０００１】
本考案は、サポートスタンドの技術分野に属し、特に、車載カップホルダーに固定され、他の部品を取り付け可能なものに関する。
【背景技術】
【０００２】
自動車の車内には、運転者又は同乗者が缶飲料やウォーターボトルを置くための少なくとも１組のカップホルダーが設けられる。しかしながら、電子機器の利用頻度が高くなっていることに伴い、車内の既存設備が使用するには古すぎるため、メーカーたちはカップホルダーに取り付け可能なサポートスタンドを設計している。また、このようなサポートスタンドは、挟持装置、外付けテーブル、大型カップホルダーなどの部品を更に増設することで、携帯電話の挟持や他の用途に用いられる。
【０００３】
現在のサポートスタンドは、通常、外側へ拡張可能な複数の支持部材をカップホルダーの内壁に押し付けることによって固定効果を実現する。しかしながら、自動車は、車種が数多いうえ、車種ごとにカップホルダーのサイズが異なるため、サポートスタンドは、通常、サイズが所定の狭い範囲にあるカップホルダーのみに適用する。メーカーにとっては、様々の消費者のニーズに応えるために、サイズが異なるカップホルダーごとに適用するサイズが異なる複数のサポートスタンドを設計しなければならないから、開発コストが重荷になる。また、使用者にとっては、車を買い替えると、既存のサポートスタンドが利用不可になり、再度購入しなければならないから、逆に損してしまう。本考案は、これらの問題点に鑑みてなされたものである。
【考案の概要】
【考案が解決しようとする課題】
【０００４】
上記の問題を解決するために、本考案は、主に長さ調整可能な拡張ユニットが設けられる、車載カップホルダー用のサポートスタンドを提供することを目的とする。本考案に係るサポートスタンドは、前記拡張ユニットにより、適用可能なサイズ範囲が幅広く、使用の際にカップホルダーに当接し、強固な固定効果が得られ、使用者又はメーカーに利便性をもたらすとともにコストダウンを図ることができる。
【課題を解決するための手段】
【０００５】
上記の目的を実現するために、本考案は下記の技術方案を採用する。
【０００６】
本考案は、外壁に複数の貫通孔があるベースユニットと、前記ベースユニットの内部に対向する螺旋ガイド溝を有し、前記ベースユニットに回動可能で離脱不可に取り付けられた回転ユニットと、対応する位置にある前記貫通孔を介して前記ベースユニット内に取り付けられた複数の拡張ユニットとを備え、前記拡張ユニットは、内側から外側へ、移動部材と、前記移動部材に取り付けられた位置調整可能な壁支持部材とを順に有し、かつ、長さが調整によって変更可能であり、前記移動部材は、それぞれガイドブロックを有し、複数の前記ガイドブロックは、いずれも前記螺旋ガイド溝内に位置されており、前記回転ユニットが回動すると、各前記移動部材は対応する前記貫通孔を介して直線的に移動して外側へ突出することを特徴とする、車載カップホルダー用のサポートスタンドである。
【０００７】
１つの好ましい実施形態において、前記移動部材は、少なくとも２組の係止溝を有し、各組の前記係止溝は、前記移動部材の相対する２つの垂直壁に分布され、前記壁支持部材は、Ｕ字型のジャケットを更に有し、前記ジャケットの相対する２つの内壁には、それぞれ突起バーを有し、前記突起バーが前記係止溝内に插入されると、前記壁支持部材は前記移動部材に固定される。
【０００８】
１つの好もしい実施形態において、前記係止溝内には、少なくとも１つの突起を有し、前記突起バーは、対応する数及び位置の凹状のノッチを有し、前記突起バーが前記係止溝内に插入されると、前記突起も前記凹状のノッチ内に位置される。
【０００９】
１つの好ましい実施形態において、前記ベースユニット内には、複数のガイド通路を有し、前記ガイド通路は、いずれも対応する前記貫通孔に対応し、前記回転ユニットが回転すると、前記移動部材は前記ガイド通路内に移動して前記貫通孔から突出する。
【００１０】
１つの好ましい実施形態において、前記ベースユニット内には、保持部材が取り付けられ、前記保持部材は、複数のスライド溝を有し、前記移動部材は、それぞれ保持ブロックを更に有し、前記保持ブロックは、前記移動部材の底部から突出し、取り付けの際に前記保持部材の前記スライド溝内に位置される。
【００１１】
１つの好ましい実施形態において、前記ベースユニットは、上向きに開口したソケットを有し、前記回転ユニットの底部には、円形部材を有し、前記螺旋ガイド溝は、前記円形部材の前記ベースユニットに対向する端面に形成され、前記円形部材は、前記ソケット内に回動する。
【００１２】
１つの好ましい実施形態において、前記ベースユニットの中心には、ねじが取り付けられ、前記ねじが前記回転ユニットを貫通して前記ベースユニットに締め付けられることで、前記回転ユニットは回動可能で前記ベースユニットから離脱不可である。
【００１３】
１つの好ましい実施形態において、前記ベースユニットは、頂部の外壁にピボット用円壁を有し、前記ピボット用円壁には、複数の縦方向の突起山部を有する。
【００１４】
１つの好ましい実施形態において、前記車載カップホルダー用のサポートスタンドは、回転スタンドを更に備え、前記回転スタンドは、Ｃ字型の接続クリップを有し、前記接続クリップの内壁には、垂直に分布された複数のスプライン溝を有し、前記回転スタンドが前記接続クリップによって前記ピボット用円壁を挟持する際に、前記突起山部は前記スプライン溝内に位置される。
【考案の効果】
【００１５】
周知技術と比較して、本考案は以下の具体的な効果を奏する。
【００１６】
１．本考案に係る車載カップホルダー用のサポートスタンドにおける前記拡張ユニットは、前記移動部材及び前記壁支持部材で構成されたものであり、前記壁支持部材の前記移動部材での位置を調整することによって径方向の長さを変更することができる。これにより、カップホルダーの適用可能なサイズ範囲が幅広くなる。
【００１７】
２．本考案に係る車載カップホルダー用のサポートスタンドは、操作便利で使用しやすい、様々な製品に幅広く適用可能である。
【００１８】
３．本考案に係る車載カップホルダー用のサポートスタンドは、１組の回転スタンドと合わせて使用可能であり、様々な部品を前記回転スタンドに連結することにより、開発できる製品が多種多様になり、使用者には選びやすくなる。
【図面の簡単な説明】
【００１９】
【図１】本考案に係る車載カップホルダー用のサポートスタンドの第１の実施例の斜視図である。
【図２】本考案に係る車載カップホルダー用のサポートスタンドの第１の実施例の拡張した状態の斜視図である。
【図３】本考案に係る車載カップホルダー用のサポートスタンドの第１の実施例の最大まで拡張した状態の斜視図である。
【図４】本考案に係る車載カップホルダー用のサポートスタンドの第１の実施例の分解図である。同図では、回転ユニットが一部の構造しか図示されていない。
【図５】本考案に係る車載カップホルダー用のサポートスタンドの第１の実施例の一部の部材を拡大して示す図である。同図では、拡張ユニットが１組しか図示されていない。
【図６】本考案に係る車載カップホルダー用のサポートスタンドの第１の実施例の断面図である。
【図７Ａ】本考案に係る車載カップホルダー用のサポートスタンドの第１の実施例の横断面図である。同図では、拡張ユニットが拡張前の状態である。
【図７Ｂ】本考案に係る車載カップホルダー用のサポートスタンドの第１の実施例の横断面図である。同図では、拡張ユニットが拡張した状態である。
【図８】本考案に係る車載カップホルダー用のサポートスタンドの第２の実施例を示す図である。
【図９】本考案に係る車載カップホルダー用のサポートスタンドの第３の実施例を示す図である。
【図１０】本考案に係る車載カップホルダー用のサポートスタンドの第４の実施例を示す図である。
【図１１】本考案に係る車載カップホルダー用のサポートスタンドの第５の実施例を示す図である。
【図１２】本考案に係る車載カップホルダー用のサポートスタンドの第６の実施例を示す図である。
【図１３】本考案に係る車載カップホルダー用のサポートスタンドの第７の実施例を示す図である。
【図１４】本考案に係る車載カップホルダー用のサポートスタンドの第８の実施例を示す図である。
【考案を実施するための形態】
【００２０】
図１は、本考案に係る車載カップホルダー用のサポートスタンドの斜視図であり、図２は、本考案に係る車載カップホルダー用のサポートスタンドの拡張した状態の斜視図である。本考案の車載カップホルダー用のサポートスタンドは、外壁に周設された複数の貫通孔１１があるベースユニット１と、前記ベースユニット１に回動可能で離脱不可に取り付けられた回転ユニット２と、対応する位置にある前記貫通孔１１を介して前記ベースユニット１内に取り付けられた複数の拡張ユニット３とを備える。前記回転ユニット２が回動すると、複数の拡張ユニット３は対応する前記貫通孔１１を介して直線的に移動して外側へ突出する（図２に示すように）。使用の際に、前記ベースユニット１は、車載カップホルダー内に設置され、拡張ユニット３の外側への移動によって前記車載カップホルダーに当接して固定される。
【００２１】
なお、前記拡張ユニット３は、移動部材３１と、移動部材３１に外嵌された壁支持部材３２とで構成されるものである。前記壁支持部材３２の前記移動部材３１での取り付け位置を調整すると、前記拡張ユニット３の外側に伸びる長さが増加することで（図３に示すように）、カップホルダーに適用可能なサイズが大きくなる。前記回転ユニット２は、本実施例において、大型サイズのカップホルダーとして提供されるものの、これに限定されるものではなく、直接に所望の形状に設計されたり、テーブル、可撓性ソフトパイプタイプのスタンド、又は挟持装置などの様々な部品を取り付けたりすることで、別の使用目的を達成することができる。これらの場合については、後述する複数の実施例で説明する。
【００２２】
以下、各部材の構造について詳細に説明する。図４は、本考案に係る車載カップホルダー用のサポートスタンドの分解図であり、前記回転ユニット２が一部の構造しか図示されていない。図５は、一部の主な部材を拡大して示す図である。
【００２３】
前記ベースユニット１は、上向きに開口した円筒状のベースであり、その周囲の外壁に複数の貫通孔１１が周設される。前記ベースユニット１は、１つ又は複数の部材からなるものであってもよく、本実施例において、ハウジング１２と台座１３とが対向してなり、対向後の円周外壁に複数の前記貫通孔１１が形成されるものである。また、前記台座１３には、複数の直立壁による複数のガイド通路１４が形成される。取り付け後に、各ガイド通路１４は前記貫通孔１１に対応する。
【００２４】
前記拡張ユニット３は、前記ガイド通路１４内に移動可能で前記貫通孔１１から外側へ突出する。前記ハウジング１２の上向き開口内には、ソケット１５が形成され、前記ソケット１５は、前記回転ユニット２を回動可能に取り付けるためのものである。前記ベースユニット１には、ねじ１６が更に設けられる。取り付けの際に、前記ねじ１６は、上から下へ前記回転ユニット２及び台座１３を貫通し、底端側がナット１７によって締め付けられる。
【００２５】
このようにして、前記ハウジング１２及び前記台座１３の位置は固定され、前記回転ユニット２は回動可能で前記ベースユニット１から離脱不可となる。なお、前記ベースユニット１は、他の選択肢として、前記台座１３内に保持部材１８を取り付ることが可能である。前記保持部材１８は、複数のスライド溝１８１を有し、複数のスライド溝１８１は、略十字状に並んでおり、前記拡張ユニット３の移動安定性を補助するためのものである。前記ベースユニット１は、頂部の外壁に近接する箇所にピボット用円壁１９を有し、前記ピボット用円壁１９は前記ハウジング１２に位置され、頂部の外壁に近接する。前記ピボット用円壁１９は、複数の縦方向の突起山部１９１を更に有し、他の部材を取り付けることが可能である（この形態については後述する。）。
【００２６】
前記回転ユニット２は、前記ベースユニット１に対向する螺旋ガイド溝２１を有する。本実施例では、前記ベースユニット２の底部には、サイズが比較的に小さい円形部材２２を有し、前記螺旋ガイド溝２１は、前記円形部材２２の前記ベースユニット１に対向する端面に形成される。取り付け後に、前記円形部材２２は、前記ソケット１５内に位置しつつ回動する。本実施例では、前記回転ユニット２は、上半分が大型サイズのカップホルダーで、下半分が使用のニーズに応じたデザインである。ここでは、まず、１種類の実施例を挙げて説明する。
【００２７】
前記回転ユニット２の下半分内には、整合部材２３と円板２４とを有し、前記整合部材２３は、円形部材２２内に取り付けられるものであり、前記ねじ１６が前記整合部材２３を貫通して下へ向かって締め付けられるものである。前記円板２４は、前記回転ユニット２内に押し付けられる（図６に示すように）。前記回転ユニット２が回動すると、前記円板２４及び円形部材２２は連動して回動するものの、前記整合部材２３及びねじ１６は固定されて動かない。
【００２８】
図５を合わせて参照すると、前記拡張ユニット３は、直方体状のハウジングであり、内側から外側へ、移動部材３１と、前記移動部材３１に取り付けられた位置調整可能な壁支持部材３２とを順に有する。この構造により、前記拡張ユニット３の長さが変更可能であり、適用可能なカップホルダーのサイズ範囲が幅広くなる。
【００２９】
また、前記移動部材３１は、少なくとも２組の係止溝３１１を有し、各組の前記係止溝３１１は、前記移動部材３１の相対する２つの垂直壁に分布される。好ましくは、１つの前記係止溝３１１は、前記移動部材３１の最も前記ベースユニット１に近接する箇所に位置され、もう１つの前記係止溝３１１は前記ベースユニット１から離隔する。前記壁支持部材３２は、Ｕ字型のジャケット３２１を有し、前記ジャケット３２１は、対向する２つの内壁にそれぞれ突起バー３２２を有する。前記突起バー３２２が前記係止溝３１１内に插入されると、前記壁支持部材３２は前記移動部材３１に固定される。
【００３０】
また、緩み防止のため、前記係止溝３１１内には、少なくとも１つの突起３１２が設けられ、前記突起バー３２２は、対応する数及び位置の凹状のノッチ３２３を有する。前記突起バー３２２が前記係止溝３１１内に插入されると、前記突起３１２も前記凹状のノッチ３２３内に位置される。
【００３１】
前記移動部材３１は、ガイドブロック３１４と保持ブロック３１５とを有する。前記ガイドブロック３１１は、前記移動部材３１の頂部から突出し、取り付けの際に前記螺旋ガイド溝２１内に位置される。前記保持ブロック３１５は、前記移動部材３２の底部から突出し、取り付けの際に前記保持部材１８の前記スライド溝１８１内に位置される。取り付けの際に、各前記拡張ユニット３は、それぞれ前記ガイド通路１４内に取り付けられ、前記ガイドブロック３１４は、前記螺旋ガイド溝２１内に位置される（図７Ａに示すように）。前記回転ユニット２が回動すると、前記ガイドブロック３１４は前記螺旋ガイド溝２１に沿って移動することで、各前記移動部材３１は直線的に移動して対応する前記貫通孔１１から外側へ突出する（図７Ｂに示すように）。
【００３２】
なお、前記保持ブロック３１２は、前記スライド溝１８１内での摺動により、前記移動部材３１の移動安定性を更に補助することができる。前記壁支持部材３２の外壁には、カップホルダーの内壁との摩擦力を強化するための滑り止めマット３２４が設置されている。
【００３３】
以上の説明から分かるように、本考案に係るサポートスタンドは、車載カップホルダーに取り付けられるものであり、前記ベースユニット１に設置された前記回転ユニット２を回動させることで、前記拡張ユニット３が駆動されて前記ベースユニット１の内側から外側へ突出し（図２に示すように）、カップホルダーの内壁に当接して固定される目的を達成できる。カップホルダーのサイズが大きすぎる時には、使用者が前記拡張ユニット３を最大まで拡張し、前記壁支持部材３２を下へ引っ張ることで前記移動部材３１から外して（図３に示すように）、そして、前記突起バー３２２を最も外側の前記係止溝３１１に位置合わせて再度挿入することにより、前記壁支持部材３２の前記移動部材３１での位置を変更することができる。
【００３４】
その後の操作方法は、上記で説明したのと同様に、前記回転ユニット２を回転させることにより、前記拡張ユニット３の一部が前記ベースユニット１内に縮み、その後、サポートスタンドをカップホルダー内に設置し、前記回転ユニット２を回動させて拡張させればよい。
【００３５】
本考案は、幅広く様々の製品に適用可能で、例えば、前記回転ユニット２の一部の構造を変更すれば複数の異なる実施例になる。以下、実際の具体的な実施例について逐一説明する。図２に示すように、前記回転ユニット２は、大型カップホルダーである。この場合には、本考案に係るサポートスタンドがカップホルダーに取り付けられると、より大型のカップホルダーを提供して使用者のニーズに応えることができる。また、本実施例では、マグカップを設置可能である。
【００３６】
図８に示すように、前記回転ユニット２Ａの頂部は、吸盤タイプのスタンド４１が吸着可能なテーブルである。また、前記吸盤タイプのスタンド４１に挟持装置４３が取り付けられると、携帯電話のハンズフリー装置になる。
【００３７】
図９は、本考案の第３の実施例を示す図である。前記回転ユニット２Ｂの上半分には、ソフトパイプタイプのスタンド４５が連結されている。前記ソフトパイプタイプのスタンド４５には、携帯電話を挟持するための挟持装置を更に取り付けることが可能である。
【００３８】
図１０は、本考案の第４の実施例を示す図である。本考案に係る車載カップホルダー用のサポートスタンドは、回転スタンド５を更に備え、前記回転スタンド５は、Ｃ字型の接続クリップ５１を有し、前記接続クリップ５１の内壁には、垂直に分布された複数のスプライン溝５２を有する。前記回転スタンド５は、接続クリップ５１によって前記ピボット用円壁１９を挟持し、回転によって位置を調整することができる。前記突起山部１９１が前記スプライン溝５２内に位置されると、前記回転スタンド５の不意の回動を防止することができる。また、前記回転スタンド５には、各種類の部材を取り付けることが可能であるため、製品の適用範囲を増大させる。
【００３９】
図１１は、本考案の第４の実施例を示す図である。本実施例では、前記回転スタンド５にジョイント部材６が連結されている。前記ジョイント部材６の上方には、もう１つの小型カップホルダー７を取り付けることが可能である。この形態は、２組のカップホルダーに対するニーズに応えることができる。
【００４０】
図１２は、本考案の第５の実施例を示す図である。本実施例では、受け皿８を使用することが可能である。前記受け皿８は、小型カップホルダー７に取り付けられることが可能であるため、より大きいスペースを使用者に提供することができる。
【００４１】
図１３は、本考案の第６の実施例を示す図である。本実施例では、前記回転スタンド５には、ソフトパイプタイプのスタンド４５が連結されている。ソフトパイプタイプのスタンド４５には、携帯電話を挟持するための挟持装置を更に取り付けることが可能である。
【００４２】
図１４は、本考案の第７の実施例を示す図である。本実施例では、前記回転スタンド５には、サイズが比較的に短いスタンドタイプのジョイント部９が連結されている。このスタンドタイプのジョイント部９には、携帯電話を挟持するための挟持装置を更に取り付けることが可能である。
【００４３】
なお、上記実施例は、本考案の効果を例示的に説明するものに過ぎず、本考案を制限するものではない。当業者は、上記実施例を本考案の精神及び範囲から逸脱せずに改良や変更することができる。
【００４４】
また、上記実施例における部品の数は、例示的に説明するものに過ぎず、本考案を制限するものではない。従って、本考案の保護範囲は、実用新案登録請求の範囲に基づくものである。
【符号の説明】
【００４５】
１  ベースユニット
１１  貫通孔
１２  ハウジング
１３  台座
１４  ガイド通路
１５  ソケット
１６  ねじ
１７  ナット
１８  保持部材
１８１  スライド溝
１９  ピボット用円壁
１９１  突起山部
２  回転ユニット
２１  螺旋ガイド溝
２２  円形部材
２３  整合部材
２４  円板
３  拡張ユニット
３１  移動部材
３１１  係止溝
３１２  突起
３１３  ガイドブロック
３１５  保持ブロック
３２  壁支持部材
３２１  Ｕ字型のジャケット
３２２  突起バー
３２３  凹状のノッチ
３２４  滑り止めマット
２Ａ  回転ユニット
２Ｂ  回転ユニット
４１  吸盤タイプのスタンド
４３  挟持装置
４５  ソフトパイプタイプのスタンド
５  回転スタンド
５１  接続クリップ
５２  スプライン溝
６  ジョイント部材
７  小型のカップホルダー
８  受け皿
９  スタンドタイプのジョイント組
【図１】
0003231268.tif 000003
【図２】
0003231268.tif 000004
【図３】
0003231268.tif 000005
【図４】
0003231268.tif 000006
【図５】
0003231268.tif 000007
【図６】
0003231268.tif 000008
【図７Ａ】
0003231268.tif 000009
【図７Ｂ】
0003231268.tif 000010
【図８】
0003231268.tif 000011
【図９】
0003231268.tif 000012
【図１０】
0003231268.tif 000013
【図１１】
0003231268.tif 000014
【図１２】
0003231268.tif 000015
【図１３】
0003231268.tif 000016
【図１４】
0003231268.tif 000017